(57)【要約】【課題】スイミングゴーグル着用者の視線が競泳中に前方へ向き易くなるスイミングゴーグルの提供。【解決手段】スイミングゴーグル１のレンズ２ａが縦方向のほぼ中央において幅方向ヘ延びる中央区域２３と、中央区域２３の上側に位置する上方区域２１と、中央区域２３の下側に位置する下方区域２２とに区分され、中央区域２３はその透視性が上方区域２１と下方区域２２の透視性よりも劣るように形成される。【選択図】      図１
2004267451.tif 000002
【特許請求の範囲】
【請求項１】
一対のレンズ部と、前記レンズ部どうしをつなぐ連結部と、スイミングゴーグル着用者の頭部に掛け回されるヘッドバンド部とを有するスイミングゴーグルにおいて、
前記レンズ部が前記頭部の幅方向ヘ水平に延びる横方向と前記横方向に交差して垂直に延びる縦方向とを有し、前記レンズ部のレンズが前記縦方向のほぼ中央において前記横方向ヘ延びる帯状の中央区域と、前記中央区域の上側に位置する上方区域と、前記中央区域の下側に位置する下方区域とに区分され、前記中央区域はその透視性が前記上方区域と下方区域の透視性よりも劣るように形成されていることを特徴とする前記スイミングゴーグル。
【請求項２】
前記透視性が全光線透過率および平行光線透過率のいずれかによって規定される請求項１記載のスイミングゴーグル。
【請求項３】
前記中央区域の全光線透過率および平行光線透過率のいずれかが実質的に０％である請求項２記載のスイミングゴーグル。
【請求項４】
前記レンズが前記ゴーグル着用者の顔面と向かい合う内面と、その反対側の面である外面とを有し、前記上方区域は前記縦方向の上方へ向かうにつれて前記顔面に接近するように傾斜し、前記下方区域が前記縦方向の下方へ向かうにつれて前記顔面に接近するように傾斜している請求項１〜３のいずれかに記載のスイミングゴーグル。
【請求項５】
前記中央区域の前記縦方向の幅が２〜１０ｍｍの範囲にある請求項１〜４のいずれかに記載のスイミングゴーグル。
【請求項６】
前記中央区域は前記レンズに塗装を施すことにより前記透視性が劣るように形成されている請求項１〜５のいずれかに記載のスイミングゴーグル。
【請求項７】
前記中央区域は前記レンズに遮光性および光散乱性いずれかのテープを貼ることにより前記透視性が劣るように形成されている請求項１〜５のいずれかに記載のスイミングゴーグル。
【請求項８】
前記中央区域は前記レンズの表面に微細な凹凸を多数設けることにより前記透視性が劣るように形成されている請求項１〜５のいずれかに記載のスイミングゴーグル。
【請求項９】
前記レンズ部の周囲にアイカップ部が取り付けられ、前記アイカップ部と一体に形成された帯状部分が前記レンズ部の内端部と外端部との間で前記レンズ部の外面に密着して前記中央区域を覆うように延びている請求項１〜５のいずれかに記載のスイミングゴーグル。
【発明の詳細な説明】
【０００１】
【発明の属する技術分野】
この発明は、スイミングに使用するゴーグルに関する。
【０００２】
【従来の技術】
実公昭５４−３３２８０号公報（特許文献１）に開示されたスイミングゴーグルは、スイミングゴーグル着用者の顔面に対して１０〜２５°の角度で上下方向に傾斜したレンズを有する。同文献によれば、かようなレンズを有するスイミングゴーグルは、レンズを透しての上下方向の視野角度αがレンズの傾斜していない従来のスイミングゴーグルと比較して大きくなる。それゆえ、このスイミングゴーグルは、上目づかいや下目づかいのときの視野が広くなり、水面に対して顔面が４５°の上目づかいで前方を見ながら泳ぐ姿勢を身につけようとする競泳練習者にとって好ましいものになると説明されている。
【０００３】
【特許文献１】
実公昭５４−３３２８０号公報
【０００４】
【発明が解決しようとする課題】
特許文献１に記載のスイミングゴーグルは、視野が広がることによって泳者が上目づかいで前方を見ながら泳ぐことを容易にする反面、広い視野からは様々な物が眼に入って泳者の前方を見ようとする集中力をそぐことがある。競泳の際にそうしたことが生じるのは好ましいことではない。
【０００５】
この発明では、スイミングゴーグルが広い視野を有する場合であっても、競泳者の視線が前方へ向き易くなるように従来のスイミングゴーグルに改良を施すことを課題にしている。
【０００６】
【課題を解決するための手段】
前記課題を解決するためにこの発明が対象とするのは、一対のレンズ部と、前記レンズ部どうしをつなぐ連結部と、スイミングゴーグル着用者の頭部に掛け回されるヘッドバンド部とを有するスイミングゴーグルである。
【０００７】
かかるスイミングゴーグルにおいて、この発明が特徴とするところは、次のとおりである。前記レンズ部が前記頭部の幅方向ヘ水平に延びる横方向と前記横方向に交差して垂直に延びる縦方向とを有し、前記レンズ部のレンズが縦方向には前記縦方向のほぼ中央において前記横方向ヘ延びる帯状の中央区域と、前記中央区域の上側に位置する上方区域と、前記中央区域の下側に位置する下方区域とに区分され、前記中央区域はその透視性が前記上方区域と下方区域の透視性よりも劣るように形成されている。
【０００８】
かかるこの発明には、次のような実施態様がある。
（１）前記透視性が全光線透過率および平行光線透過率のいずれかによって規定される。
（２）前記中央区域の全光線透過率および平行光線透過率のいずれかが実質的に０％である。
（３）前記レンズが前記ゴーグル着用者の顔面と向かい合う内面と、その反対側の面である外面とを有し、前記上方区域は前記縦方向の上方へ向かうにつれて前記顔面に接近するように傾斜し、前記下方区域が前記縦方向の下方へ向かうにつれて前記顔面に接近するように傾斜している。
（４）前記中央区域の前記縦方向の幅が２〜１０ｍｍの範囲にある。
（５）前記中央区域は前記レンズに塗装を施すことにより前記透視性が劣るように形成されている。
（６）前記中央区域は前記レンズに遮光性および光散乱性いずれかのテープを貼ることにより前記透視性が劣るように形成されている。
（７）前記中央区域は前記レンズの表面に微細な凹凸を多数設けることにより前記透視性が劣るように形成されている。
（８）前記レンズ部の周囲にアイカップ部が取り付けられ、前記アイカップ部と一体に形成された帯状部分が前記レンズ部の内端部と外端部との間で前記レンズ部の外面に密着して前記中央区域を覆うように延びている。
【０００９】
この発明において、透視性とは、レンズを透して物を視認することの容易さの程度を意味し、レンズの全光線透過率および／または平行光線透過率によって規定することができる。この発明においては、これら光線透過率が低いほど、透視性が劣るまたは低くなると表現される。
【００１０】
【発明の実施の形態】
添付の図面を参照してこの発明に係るスイミングゴーグルの詳細を説明すると、以下のとおりである。
【００１１】
図１は、スイミングゴーグル１の斜視図である。スイミングゴーグル１は、着用者の頭部の幅方向へ水平に延びる横方向と、横方向に交差して垂直に延びる縦方向とを有し、その縦方向に延びる中心線Ｃ−Ｃに関して対称に作られており、一対のレンズ部２と、アイカップ部３と、スイミングゴーグル着用者の頭部に掛け回されるヘッドバンド部４とからなる。一対のレンズ部２の内端部分６は、アイカップ部３どうしが鼻ベルトとして作用する連結部７を介してつながっている。レンズ部２それぞれはレンズ２ａと周縁部分２ｂとを有し、レンズ２ａは透視可能に形成され、周縁部分２ｂにはアイカップ部３が取り付けられている。レンズ部２の外端部分８の近傍では、アイカップ部３に対してヘッドバンド４がバックル９を介して長さ調節可能に連結されている。アイカップ部３のそれぞれは、レンズ部２の外面１１（図２参照）に密着してレンズ２ａを横断するように内端部分６と外端部分８との間に延びる帯状部分１３を有する。
【００１２】
図２は、図１のＩＩ−ＩＩ線切断面を示す図であって、ＩＩ−ＩＩ線はレンズ部２のうちでレンズ２ａの上下方向の寸法が最大になる位置に引かれている。レンズ部２は外面１１と仮想線で示された着用者の顔面１８と向かい合う内面１２とを有し、アイカップ部３はレンズ部２の周縁部分２ｂに取り外し可能または取り外し不能いずれかの態様で取り付けられている。アイカップ部３のスカート部分１７は、顔面１８に密着可能である。アイカップ部３に設けられた帯状部分１３は、レンズ２ａにおける外面１１に密着し、より好ましくは外面１１から剥れることがないように密着しており、レンズ２ａを縦方向において帯状部分１３の上側に位置する上方区域２１と、帯状部分１３の下側に位置する下方区域２２と、帯状部分１３で覆っている中央区域２３とに分けている。これら区域２１，２２，２３の縦方向の寸法（幅）は適宜に決めることができるが、好ましい実施例の帯状部分１３の幅は２〜１０ｍｍの範囲にある。好ましい帯状部分１３はまた、図におけるレンズ２ａの縦方向の寸法ｈを二等分する位置か、その位置よりもやや下方に設けられて、上方区域２１の視野が下方区域２２の視野よりも広くなることがある。
【００１３】
レンズ部２は、無色透明または着色透明の硬質材料によって形成され、帯状部分１３を含むアイカップ部３は、着色透明ないし着色不透明の柔軟弾性材料によって形成されている。レンズ部２に対してアイカップ部３とその帯状部分１３とを実質的な意味において分離不能にするには、レンズ部２に対してアイカップ部３を弾性変形させた状態で取り付けたり接着剤を使用して取り付けたりする他に、レンズ部２がインサートされた金型を使ってアイカップ部３を射出成形してもよい。そのようにすると、帯状部分１３をレンズ部２の外面１１に溶着することが可能になる。
【００１４】
かようなレンズ部２を有するスイミングゴーグル１の着用者は、レンズ２ａを透して物を見ようとするときに、眼の前の帯状部分１３に邪魔されて視線が自然に上方区域２１または下方区域２２に向くようになる。特に、着用者が競泳中であるとか競泳の練習中であるとかという場合には、視線が自然に上方区域２１に向けられて水平方向前方を見ることになる。しかもそのような状態では、余分な物が眼に入りにくくなるので集中力を高めることが容易になる。競泳の終了後などに着用者が歩行するときには、上方区域２１と下方区域２２とを適宜に使い分けることができる。つまり、このスイミングゴーグル１では、上方区域２１と下方区域２２とを合わせたときの視野が広くても、競泳中にはその広い視野を実質的に上方区域２１のみに狭めることができる。
【００１５】
スイミングゴーグル１における帯状部分１３は、レンズ２ａにおける中央区域２３の透視性を上方区域２１や下方区域２２の透視性よりも劣るようにするために設けられるもので、かかる帯状部分１３には、適宜の色を適宜の濃さで適用することができる。また、中央区域２３では、その透視性を低くするために、アイカップ部３と同じ材料からなる帯状部分１３に代えて、帯状部分１３と同じ幅を有する粘着性の着色テープを外面１１や内面１２に貼ることもできるし、外面１１や内面１２を部分的に塗装したり、染色したりすることもできる。レンズ２ａの外面１１や内面１２に細かい凹凸を多数設けて、これらの面のいずれかを光を散乱可能な梨地のものにして透視性を低くすることもできる。中央区域２３は、全光線透過率および／または平行光線透過率が０％であって、透視不能な状態であってもよい。
【００１６】
図３，４は、実施態様の一例を示す図１と同様な図と、図３におけるＩＶ−ＩＶ線切断面を示す図である。これらの図のスイミングゴーグル１は、図１のそれと異なり、一対のレンズ部２がアイカップ部３とは別体の鼻ベルト３１によって連結されている。また、このスイミングゴーグル１のレンズ２ａは、図４から明らかなように、上方へ向かって延びて着用者の顔面１８に接近するように傾斜している上方部分３２と、下方へ向かって延びて着用者の顔面１８に接近するように傾斜している下方部分３３とを有し、これら上方部分３２と下方部分３３とがレンズ２ａの縦方向の中央近傍または中央よりやや下方で交差して内面１２から外面１１へ向かう方向ヘ突出する陵線３４を形成している。陵線３４の直下の外面１１には、陵線３４に沿って遮光性または光散乱性の粘着性テープ３６が貼られている。テープ３６は、２〜１０ｍｍの幅を有し、レンズ２ａを内端部６と外端部８との間で横断するように延びている。このテープ３６によってレンズ２ａが縦方向において上方区域２１と、下方区域２２と、中央区域２３とに区分される。テープ３６によって覆われている中央区域２３は、テープ３６の存在によって、全光線透過率および／または平行光線透過率が上方区域２１と下方区域２２とのそれよりも低くなり、それら両区域２１，２２よりも透視性が劣るようになる。
【００１７】
かように形成された図３，４のスイミングゴーグル１では、図１，２のスイミングゴーグル１と同様に透視性の劣る中央区域２３が形成されることによって、競泳者の視線を自然と上方区域２１に向けることができる。また、傾斜したレンズ２ａは、その傾斜によって視野を広げるようなレンズ効果を奏することも可能である。
【００１８】
【発明の効果】
この発明に係るスイミングゴーグルは、レンズの縦方向に上方区域と、下方区域と、これら両区域間に位置する中央区域とを有し、その中央区域は、透視性が上方区域と下方区域との透視性よりも劣るように形成されているので、レンズの視野が広くても競泳中の着用者は、視線が自然と上方区域に向かって水平方向前方を見ることが容易になる。また、そのときの着用者の視野には競泳動作に不必要なものが入りにくいから、着用者は集中力を向上させることが容易になる。
【図面の簡単な説明】
【図１】スイミングゴーグルの斜視図。
【図２】図１のＩＩ−ＩＩ線切断面を示す図。
【図３】図１とは異なる態様のスイミングゴーグルの斜視図。
【図４】図３のＩＶ−ＩＶ線切断面を示す図。
【符号の説明】
１      スイミングゴーグル
２      レンズ部
２ａ      レンズ
３      アイカップ部
４      ヘッドバンド部
６      内端部
７      連結部
８      外端部
１１      外面
１２      内面
１８      顔面
２１      上方区域
２２      下方区域
２３      中央区域
３６      テープ
【図１】
2004267451.tif 000003
【図２】
2004267451.tif 000004
【図３】
2004267451.tif 000005
【図４】
2004267451.tif 000006